(57)【要約】【課題】盛土および転圧作業に支障を及ぼすことなく、同時に工事終了後に設計法面角度にほぼ一致させることが可能な鋼製枠、およびそれを用いた盛土工法を提供すること。【解決手段】前面部分と底面部分とからなるＬ字状の格子状鋼製枠であって、その前面部分の下部側と底面部分とのなす角度は設計法面角度にほぼ等しく、前面部分の上部側は底面側に向かってさらに屈曲して水平方向とのなす角度は設計法面角度よりも小さい鋼製枠である。また、この鋼製枠を地盤上に固定し、次いで鋼製枠の前面部分と底面部分とで囲まれた区域に盛土し、さらにこの工法を繰り返して多段に盛土を積み重ね、補強された盛土体を構築する盛土工法に関する。【選択図】　　　　　図１
2004143774.tif 000002
【特許請求の範囲】
【請求項１】
格子体から形成され、かつ前面部分と底面部分とからなるＬ字状の鋼製枠であって、その前面部分は縦方向のほぼ中央に横方向へと延びる仮想の線に沿ってその上部側が底面側に向かってさらに屈曲しており、前面部分の下部側が底面部分となす角度は設計法面角度にほぼ等しく、そして前面部分の上部側が水平方向となす角度は設計法面角度よりも小さいことを特徴とする鋼製枠。
【請求項２】
前記の前面部分は、それを形成する格子体の縦軸上端が外側にフック状に折れ曲がった係合部を有していることを特徴とする請求項１に記載の鋼製枠。
【請求項３】
格子体から形成され、かつ前面部分と底面部分とからなるＬ字状の鋼製枠を地盤上に設置し、その鋼製枠の前面部分は縦方向のほぼ中央に横方向へと延びる仮想の線に沿ってその上部側が底面側に向かってさらに屈曲しており、またその前面部分の下部側が底面部分となす角度は設計法面角度にほぼ等しく、そして前面部分の上部側が水平方向となす角度は設計法面角度よりも小さくなっており、その後鋼製枠の前面部分の下部側を斜体材を用いて底面部分に固定し、次いで鋼製枠の前面部分と底面部分とで囲まれた区域に盛土することを特徴とする盛土工法。
【請求項４】
前記の前面部分は、それを形成する格子体の縦軸上端が外側にフック状に折れ曲がった係合部を有していることを特徴とする請求項３に記載の盛土工法。
【請求項５】
前記請求項４記載の工法で第１段目の盛土を構築し、その盛土上に第２段目用の鋼製枠を設置し、第１段目の鋼製枠が持つ係合部を第２段目用の鋼製枠の底面部分に係合させてから新たな盛土を行ない、この工程を繰り返して多段に盛土を積み重ねることを特徴とする盛土工法。
【発明の詳細な説明】
【０００１】
【発明の属する技術分野】
本発明は、盛土法面を構築するために用いる鋼製枠およびそれを用いた盛土工法に関する。
【０００２】
【発明の技術的背景】
盛土によって道路や土地を造成する場合、近年はジオグリッドと呼ばれる盛土補強材を多用して、効率よく強固な地盤を構築している。図７および図８は、従来の盛土工法を説明するために示す概略的な斜視図である。地盤２０の水平な部分にはプラスチック製の網状体や繊維シート２１を敷設し、法面になる箇所には金属製やプラスチック製の網状体２２を立ち上げ、それら２１と２２とをロープ等を用いて適宜連結してから盛土し、崩れ易い、不安定な盛土２３の補強を図っている。
【０００３】
法面を構築する際、図７では金属製やプラスチック製の網状体２２を予め法面の形状に合わせた枠体に成形して設置し、そこへ盛土し、さらに土工機械による転圧を施して盛土の締め固めを図っている。この工法の場合、枠体の前面部分と底面部分とのなす角度γが、転圧作業の影響で一般に大きく開いてしまうので、設計通りの傾斜に法面を構築することは難しい。そこで、工事目標である設計法面角度が、例えば７３°である場合、枠体の製品角度γを７３°よりも小さい角度、例えば６５°にして盛土施工を開始すると、施工後の角度は７３°より大きくなったり小さかったりして、実際上設計法面角度に一致しないケースが発生する。
【０００４】
そこでさらに、図８では、枠体の製品角度δを初めから設計法面角度と同じ値に設定し、その角度が施工中に変らないようにするために斜体材２４と呼ばれる筋交い状の部材で枠体２２の前面部分と底面部分とを固定する工法も行なわれている。この場合、今度は斜体材２４の存在が、土工機械による盛土および転圧作業に支障をきたし、工事全般の作業効率を低下させてしまうことがある。
【０００５】
【特許文献１】
実開平６−４００３９号公報
【特許文献２】
特開平３−５１４２３号公報
【特許文献３】
特開平３−５１４２４号公報
【特許文献４】
特開平５−２８７７５０号公報
【０００６】
【発明が解決しようとする課題】
そこで本発明は、盛土および転圧作業に支障をきたすことなく、同時に施工後に設計法面角度にほぼ一致させることが可能な鋼製枠の提供、およびそれを用いた盛土工法の提供を目的にする。
【０００７】
【課題を解決するための手段】
すなわち本発明は、格子体から形成され、かつ前面部分と底面部分とからなるＬ字状の鋼製枠であって、その前面部分は縦方向のほぼ中央に横方向へと延びる仮想の線に沿ってその上部側が底面側に向かってさらに屈曲しており、前面部分の下部側が底面部分となす角度は設計法面角度にほぼ等しく、そして前面部分の上部側が水平方向となす角度は設計法面角度よりも小さい鋼製枠に関する。ここで鋼製枠の一態様として、前記の前面部分には、それを形成する格子体の縦軸上端が外側にフック状に折れ曲がった係合部を有していることが望ましい。
【０００８】
また本発明は、格子体から形成され、かつ前面部分と底面部分とからなるＬ字状の鋼製枠を地盤上に設置し、その鋼製枠の前面部分は縦方向のほぼ中央に横方向へと延びる仮想の線に沿ってその上部側が底面側に向かってさらに屈曲しており、またその前面部分の下部側が底面部分となす角度は設計法面角度にほぼ等しく、そして前面部分の上部側が水平方向となす角度は設計法面角度よりも小さくなっており、その後鋼製枠の前面部分の下部側を斜体材を用いて底面部分に固定し、次いで鋼製枠の前面部分と底面部分とで囲まれた区域に盛土する盛土工法に関する。
【０００９】
前記の工法に用いる鋼製枠は、その前面部分に、それを形成する格子体の縦軸上端が外側にフック状に折れ曲がった係合部を有していることが望ましい。このような鋼製枠を用いて前記と同様にして第１段目の盛土を構築し、その盛土上に第２段目用の鋼製枠を設置し、第１段目の鋼製枠が持つ係合部を第２段目用の鋼製枠の底面部分に係合させてから新たな盛土を行ない、この工程を繰り返して多段に盛土を積み重ねる盛土工法も本発明に属する。
【００１０】
【発明の具体的説明】
次に図面を参照して、本発明に係わる鋼製枠およびそれを用いた盛土工法を具体的に説明する。
【００１１】
図１は、本発明の鋼製枠の一例を示す概略斜視図である。鋼製枠１は、金属製の格子体から製造されており、その格子目は、図１では正方形に構成されているが、それに限らず長方形や菱形であってもよい。そのような格子体の具体例として、鋼線を縦横に組み合わせてその交点を溶接によって固定させたいわゆる溶接金網や、あるいは菱形の格子目を持つエキスパンドメタル材を挙げることができる。中でも後述する前面部分の角度調整を考慮すると、軽量で柔軟性があることから格子面を適度に屈曲させ易い溶接金網が好ましい。またこの格子体は、発錆による強度低下や耐久性の低下を防止するために、各格子材の表面を防錆処理しておくことが望ましく、例えば接着性が良好なポリエチレンを用いた紛体塗装法による表面コーティングや亜鉛メッキコーティングによる表面処理法を挙げることができる。
【００１２】
鋼製枠１は、前面部分２と底面部分３とがほぼＬ字状に接続した構造をなしている。このような鋼製枠１は、平面状の格子体を必要な大きさに前面部分２と底面部分３とにあらかじめ別々に製造しておき、両者を溶接等の手段で必要な角度に接続してもよいし、あるいは平面状の格子体を必要な角度に曲げ加工してほぼＬ字状に成形してもよい。それらの内でも、後者の方法が製造上容易であるので好ましい。
【００１３】
そして、前面部分２は、その縦方向のほぼ中央に位置し、かつ横方向に延びた仮想の中央の線４に沿って、その上部側をさらに底面側に向かって前かがみ状に屈曲させてある。ここで中央の線４は、前面部分２の縦方向の中央位置に正確に設定する必要性はなく、上または下の方向へと多少ずれていても構わない。例えば前面部分の縦方向の全長が５４０ｃｍの場合、上方の長さを２６５ｃｍとし、下方の長さを２７５ｃｍにしてもよい。その結果、前面部分２は、中央の線４を境にして上部側５と下部側６とに区画される。
【００１４】
前記の格子体が縦軸（縦筋）と横軸（横筋）とから形成されている溶接金網のような場合、各格子材の縦軸先端を外側方向、すなわち盛土とは反対方向に折り曲げたフック状の係合部７が前面部分の上端に形成されていると、鋼製枠１を積み重ねていく時の引っ掛かり部分として利用できるので好都合である。
【００１５】
図２は、先に一例として示した鋼製枠１の概略断面図を表しており、前面部分２は、ほぼ中央の仮想線４を境にして上部側５と下部側６とに分けられている。前面部分２の下部側６において、前面下部側６が底面部分３となす角度αは、ほぼ設計法面角度、すなわち工事終了後の目標法面角度に設定してある。一方、前面部分２の上部側５において、前面上部側５が水平方向となす角度βは、設計法面角度よりも小さい角度に調整してあるので、α＞βの関係になる。例えば、αを７３°にし、βを６３°にすると、前面部分２の上部側５と下部側６とのなす角度は１７０°であるが、後述する盛土施工後には約１８０°へと角度が広がっていく。
【００１６】
図３は、本発明の盛土工法を説明するための概略斜視図である。地盤１０上に水平に盛土補強材１１を敷設し、一方、法面になる位置に前述した鋼製枠１を設置して盛土の端面を決める。ここで地盤１０は、盛土であってもよい。鋼製枠１および盛土補強材１１は、アンカーピンやアンカーボルト等の適宜な手段で地盤１０に固定し、また鋼製枠１と盛土補強材１１とは適宜の公知の連結手段１２、例えばロープ、樹脂製ないし金属製の棒状体等で接続する。
【００１７】
盛土補強材１１としては、金属製またはプラスチック製の網状体、あるいは厚手の不織布のような繊維シートを用いると、盛土体を強固に補強する効果が高いので好ましい。図４は、盛土補強材１１の一例としてプラスチック製のネット（一軸延伸品）の斜視図を示している。このネット状物は、三井化学産資株式会社から商品名テンサー（登録商標）として販売されており、プラスチック製ネットが一軸方向、必要に応じて二軸方向へと延伸処理が施されているので、高い引張強度と剛性、および強固な交点強度とを有し、かつ土壌の拘束力が高いので望ましい盛土補強材である。なお、盛土補強材１１としては、網状体と繊維シートとを併用してもよい。
【００１８】
まず、鋼製枠１の前面部分２の内側、すなわち盛土側に必要に応じて植生シート１４を被覆しておく。次いで、鋼製枠１の前面部分の下部側６と底面部分３とは、斜体材１３を用いて、あたかも筋交いをしたかのように両者を固定する。斜体材１３は、図３に示したターンバックルであってもよいし、図５に示した針金ないし鉄筋の両端を互いに同方向または異方向に折り曲げた形状であってもよい。斜体材１３の鋼製枠１への固定方法は、斜体材１３の一端を、鋼製枠１の中央線（仮想）４の近傍にある格子材に引っ掛け、また他端を、鋼製枠１の底面部分３にある格子材に引っ掛ける方法を採用することができるが、この方法に限られるものではない。このようにして、鋼製枠１の前面部分の下部側６と底面部分３とのなす角度が一定に保たれるようにする。
【００１９】
その後、鋼製枠１と盛土補強材１１とで囲まれた区域に盛土１５を行ない、さらに土工機械による転圧をかけると強固な盛土体を構築することができる。斜体材１３は、鋼製枠１の前面部分の下部側６と底面部分３とを固定しているに過ぎないので、盛土高さの内の低い位置でかつ法面に近い位置に存在していることになり、一方盛土の撒き出しおよび転圧作業は、斜体材１３の位置よりもより高所から行なうので、斜体材１３による盛土および転圧作業に及ぼす影響は少なく、効率的に施工作業を進めることができる。
【００２０】
この盛土および転圧作業の際、鋼製枠１の前面部分の下部側６は斜体材１３によって強固に固定されていることから、それと底面部分とのなす角度αはほとんど変化することはない。しかし、鋼製枠１の上部側５は、盛土の転圧作業によって外部方向、すなわち盛土側とは反対方向へと向かう力を受けるので、上部側５が水平方向となす角度βは広がり、最終的にαとほぼ同じ設計法面角度に近づく。例えば、施工前にαが７３°、βが６３°であったとすると、施工後にはβは７３°に近づき、前面部分２の上部側５と下部側６とのなす角度は約１８０°に近づき、直線的な法面が構築されることになる。一例として、鋼製枠１の上部長さが２６５ｃｍ、下部長さが２７５ｃｍ、前面下部側と底面部分とのなす角度が７３°の場合、一段の垂直高さが約５０ｃｍの法面を構築することができる。
【００２１】
図６は、本発明の盛土工法を応用して盛土を数段積み重ねた時の状況を示す断面図である。前記した工法で第１段目の盛土を行ない、その盛土体上に盛土補強材１１を敷設し、かつ盛土端部に鋼製枠１を設置して法面位置を決める。その後第１段目と同様に盛土を繰り返し、必要に応じて第３段目以上の盛土を繰り返すことによって、多段の盛土体を構築することができる。
【００２２】
この際、第１段目または下段の盛土体に用いた鋼製枠１のフック状の係合部７を、第２段目または上段の盛土構築に使用する鋼製枠１の底面部分３の格子目に引っ掛けることによって、両段の鋼製枠１は連結し、盛土全体が一体化しかつ強度を増していく。
【００２３】
【発明の効果】
本発明に係わる鋼製枠は、盛土作業後の法面近傍における転圧機の走行を斜体材が妨害することなく可能にし、また法面角度を設計値に容易に合せることが可能になる。従って、この鋼製枠を用いた盛土工法では、高い作業効率で、強固な地盤を形成することができ、特に多段に積み上げる盛土体の構築に好都合である。
【図面の簡単な説明】
【図１】本発明の鋼製枠の一例を示す概略斜視図である。
【図２】本発明の鋼製枠の一例を示す概略断面図である。
【図３】本発明の盛土工法を説明するための概略斜視図である。
【図４】盛土補強材の一例を示す概略斜視図である。
【図５】斜体材を鋼製枠に取り付ける一例を示す概略斜視図である。
【図６】本発明の盛土工法を応用して盛土を数段積み重ねた時の状況を示す概略断面図である。
【図７】従来の盛土工法を説明するために示す概略的な斜視図である。
【図８】従来の盛土工法を説明するために示す別の概略的な斜視図である。
【符号の説明】
１　　　鋼製枠
２　　　前面部分
３　　　底面部分
４　　　仮想の中央の線
５　　　前面部分の上部側
６　　　前面部分の下部側
７　　　フック状の係合部
１１　　盛土補強材
１３　　斜体材
１４　　植生シート
１５　　盛土
α　　　前面下部側が底面部分となす角度
β　　　前面上部側が水平方向となす角度．
【図１】
2004143774.tif 000003
【図２】
2004143774.tif 000004
【図３】
2004143774.tif 000005
【図４】
2004143774.tif 000006
【図５】
2004143774.tif 000007
【図６】
2004143774.tif 000008
【図７】
2004143774.tif 000009
【図８】
2004143774.tif 000010